(57)【要約】【課題】耐火性能を確保しつつ、建物の壁部における屋内側の壁面に重量物を取り付けることができる建物の壁補強構造を得る。【解決手段】補強壁材３８が、内壁材３６の屋内側に当該内壁材３６と重ねて配置されると共に、鉄骨柱２４、２６に対して固定されたスタッド４０に取り付けられており、当該補強壁材３８によって壁部２２における屋内側の壁面を構成することができる。そして、補強壁材３８は、内壁材３６よりも靭性が高い材質で構成されており、当該内壁材３６で壁部２２における屋内側の壁面を構成する構成と比し、当該壁面にねじ等を用いて重量物を取り付けることが容易となる。【選択図】図１
2019100008.tif 000002
【特許請求の範囲】
【請求項１】
建物の壁部における骨格の一部を構成しかつ建物上下方向に延在すると共に、所定の方向に複数連なって配置された鉄骨柱と、
建物上下方向に延在すると共に、前記鉄骨柱に対して固定されたスタッドと、
前記スタッドに屋内側から取り付けられて複数の前記鉄骨柱を屋内側から覆う耐火材と、
前記耐火材の屋内側に当該耐火材と重ねて配置され、前記スタッドに取り付けられると共に、耐火性を有する材質で構成された内壁材と、
前記内壁材の屋内側に当該内壁材と重ねて配置され、前記スタッドに取り付けられると共に、当該内壁材の材質よりも靭性が高い材質で構成された補強壁材と、
を有する建物の壁補強構造。
【請求項２】
前記鉄骨柱は、角鋼管で構成されると共に、屋内側に面する第１壁面部と、当該第１壁面部と直交する第２壁面部とを備え、
前記スタッドは、角筒状とされると共に、
前記第２壁面部に取付可能とされた第１取付片部と、当該第１取付片部から当該第１取付片部と直交して延びると共に前記スタッドを取付可能とされた第２取付片部とを備えたブラケットをさらに備え、
前記補強壁材は、ラワン合板で構成されている、
請求項１に記載の建物の壁補強構造。
【請求項３】
前記スタッドは、前記所定の方向に複数連なって配置されており、
前記スタッドの上端部同士は、前記所定の方向に延在するランナーで連結されていると共に、
前記ランナーは、前記鉄骨柱の上端部同士を連結する天井大梁に対して固定されている、
請求項１又は請求項２に記載の建物の壁補強構造。
【発明の詳細な説明】
【技術分野】
【０００１】
本発明は、建物の壁補強構造に関する。
【背景技術】
【０００２】
下記特許文献１には、建物壁部の耐火構造に関する発明が開示されている。この建物壁部の耐火構造では、建物の壁部の骨格を構成すると共に断面形状がＩ型とされた鉄骨柱における両フランジ部の側面とウェブ部の屋内側の面とが共通の耐火被覆材によって覆われると共に、この耐火被覆材が耐火面材によって屋内側から覆われている。このため、建物の壁部の耐火性能を確保することができる。
【先行技術文献】
【特許文献】
【０００３】
【特許文献１】特開２０１４−１６３１１２号公報
【発明の概要】
【発明が解決しようとする課題】
【０００４】
しかしながら、上記特許文献１に開示された建物壁部の耐火構造では、耐火面材が石膏ボードで構成されていると共に、この耐火面材によって建物の壁部における屋内側の壁面が構成されており、この壁部における屋内側の面にねじ等を用いて重量物を取り付けることが困難である。
【０００５】
本発明は上記事実を考慮し、耐火性能を確保しつつ、建物の壁部における屋内側の壁面に重量物を取り付けることができる建物の壁補強構造を得ることが目的である。
【課題を解決するための手段】
【０００６】
第１の態様に係る建物の壁補強構造は、建物の壁部における骨格の一部を構成しかつ建物上下方向に延在すると共に、所定の方向に複数連なって配置された鉄骨柱と、建物上下方向に延在すると共に、前記鉄骨柱に対して固定されたスタッドと、前記スタッドに屋内側から取り付けられて複数の前記鉄骨柱を屋内側から覆う耐火材と、前記耐火材の屋内側に当該耐火材と重ねて配置され、前記スタッドに取り付けられると共に、耐火性を有する材質で構成された板状の内壁材と、前記内壁材の屋内側に当該内壁材と重ねて配置され、前記スタッドに取り付けられると共に、当該内壁材の材質よりも靭性が高い材質で構成された補強壁材と、を有している。
【０００７】
第１の態様に係る建物の壁補強構造では、建物の壁部における骨格の一部が複数の鉄骨柱によって構成されており、当該鉄骨柱は、建物上下方向に延在すると共に所定の方向に連なって配置されている。また、鉄骨柱に対してスタッドが固定されており、当該スタッドは、建物上下方向に延在している。
【０００８】
このスタッドには、屋内側から耐火材が取り付けられており、当該耐火材によって複数の鉄骨柱が屋内側から覆われている。そして、耐火材の屋内側には、耐火性を有する材質で構成された内壁材が、当該耐火材と重ねて配置されると共に、スタッドに取り付けられている。このため、本態様では、耐火材に向かう火や熱に対する耐火性能を確保することができる。
【０００９】
ところで、耐火性を有する材質で構成された内壁材によって建物の壁部における屋内側の壁面が構成されている場合、当該壁面にねじ等を用いて重量物を取り付けることが困難となることが考えられる。
【００１０】
ここで、本態様では、補強壁材が、内壁材の屋内側に当該内壁材と重ねて配置されると共に、スタッドに取り付けられており、当該補強壁材によって建物の壁部における屋内側の壁面を構成することができる。そして、補強壁材は、内壁材よりも靭性が高い材質で構成されており、当該内壁材で建物の壁部における屋内側の壁面を構成する構成と比し、当該壁面にねじ等を用いて重量物を取り付けることが容易となる。
【００１１】
第２の態様に係る建物の壁補強構造は、第１の態様に係る建物の壁補強構造において、前記鉄骨柱は、角鋼管で構成されると共に、屋内側に面する第１壁面部と、当該第１壁面部と直交する第２壁面部とを備え、前記スタッドは、角筒状とされると共に、前記第２壁面部に取付可能とされた第１取付片部と、当該第１取付片部から当該第１取付片部と直交して延びると共に前記スタッドを取付可能とされた第２取付片部とを備えたブラケットをさらに備え、前記補強壁材は、ラワン合板で構成されている。
【００１２】
第２の態様に係る建物の壁補強構造では、鉄骨柱が角鋼管で構成されており、当該鉄骨柱は、屋内側に面する第１壁面部と、当該第１壁面部と直交する第２壁面部とを備えている。そして、鉄骨柱の第２壁面部には、ブラケットの第１取付片部が取り付けられており、当該第１取付片部から当該第１取付片部と直交して延びる当該ブラケットの第２取付片部には、スタッドが取り付けられている。
【００１３】
ところで、鉄骨柱の断面形状がＩ型とされている場合、ブラケットの第１取付片部を鉄骨柱のウェブ部に取り付けた状態において、当該鉄骨柱のフランジ部の板厚方向から見て、スタッドがフランジ部に隠れていない状態とされている必要がある。そして、施工時にこのような状態になる確度を高めるためには、鉄骨柱に予めブラケットを取り付けた上で、当該ブラケットにスタッドを取り付けることが好ましい。
【００１４】
一方で、施工性の観点からは、スタッドにブラケットを取り付けた状態で第１取付片部を鉄骨柱に取付可能とされていることが好ましい。しかしながら、鉄骨柱の断面形状がＩ型とされていると、スタッドの第２取付片部に対する取付位置の如何によって、当該スタッドが鉄骨柱のフランジ部の板厚方向から見て当該フランジ部に隠れてしまうことが考えられる。
【００１５】
この点、本態様では、スタッドにブラケットを予め取り付けた状態で当該ブラケットを鉄骨柱に取り付けても、第１壁面部と対向する方向から見て、当該スタッドが当該鉄骨柱に隠れることがない。しかも、第１壁面部を基準とすることでスタッドの位置決めを容易に行うことができ、ひいては、建物の壁部における屋内側の壁面の位置決めを容易に行うことができる。
【００１６】
また、本態様では、補強壁材がラワン合板で構成されており、当該補強壁材の靭性を確保しつつ、当該補強壁材を安価な材料で構成することができる。
【００１７】
第３の態様に係る建物の壁補強構造は、第１の態様又は第２の態様に係る建物の壁補強構造において、前記スタッドは、前記所定の方向に複数連なって配置されており、前記スタッドの上端部同士は、前記所定の方向に延在するランナーで連結されていると共に、前記ランナーは、前記鉄骨柱の上端部同士を連結する天井大梁に対して固定されている。
【００１８】
第３の態様に係る建物の壁補強構造では、スタッドが所定の方向、すなわち鉄骨柱が連なる方向と同じ方向に複数連なって配置されており、当該スタッドの上端部同士が当該所定の方向に延在するランナーで連結されている。また、ランナーは、鉄骨柱の上端部同士を連結する天井大梁に対して固定されている。このため、本態様では、補強壁材に取り付けられた重量物による荷重を鉄骨柱及び天井大梁で支持することができる。
【００１９】
以上説明したように、第１の態様に係る建物の壁補強構造では、耐火性能を確保しつつ、建物の壁部における屋内側の壁面に重量物を取り付けることができるという優れた効果を有する。
【００２０】
第２の態様に係る建物の壁補強構造では、施工性を向上させつつコスト低減を図ることができるという優れた効果を有する。
【００２１】
第３の態様に係る建物の壁補強構造では、建物の壁部における屋内側の壁面に取り付け可能な重量物の重量の上限を引き上げることができるという優れた効果を有する。
【図面の簡単な説明】
【００２２】
【図１】第１実施形態に係る建物の壁補強構造が適用された壁部の構成を示す平断面図である。
【図２】第１実施形態に係る建物の壁補強構造が適用された壁部における建物上方側の部分の構成を示す断面図（図１の２−２線に沿って切断した状態を示す断面図）である。
【図３】第１実施形態に係る建物の１階側の部分の構成を示す間取り図である。
【図４】第２実施形態に係る建物の壁補強構造が適用された間仕切り壁の構成を示す平断面図である。
【発明を実施するための形態】
【００２３】
＜第１実施形態＞
以下、図１〜図３を用いて、本発明の第１実施形態に係る建物の壁補強構造について説明する。まず、本実施形態に係る「建物１０」の全体構造について説明する。この建物１０は、一例として、二階建の住宅とされており、図３にその一部が示される一階部分１２と図示しない二階部分とを含んで構成されている。
【００２４】
建物１０は、鉄骨軸組み工法により構築されており、当該建物１０の躯体１４は、図１にその一部が示されるように、図示しない複数の鉄骨柱、ラチス柱１６、複数の「天井大梁１８」（図２参照）及び図示しない複数の床大梁を含んで構成されている。天井大梁１８は、Ｉ型鋼で構成されていると共に、鉄骨柱の上端部同士を連結しており、床大梁は、天井大梁と同じくＩ型鋼で構成されていると共に、鉄骨柱の下端部同士を連結している。
【００２５】
ここで、本実施形態では、一階部分１２のキッチン２０と屋外側とを仕切る「壁部２２」に本実施形態に係る建物の壁補強構造が適用されている。以下、本実施形態の要部である壁部２２の構成について詳細に説明する。
【００２６】
図１に示されるように、壁部２２は、ラチス柱１６を含んで構成されており、当該ラチス柱１６によって、その骨格の一部が構成されている。ラチス柱１６は、「鉄骨柱２４、２６」とラチス材２８とを含んで構成されている。鉄骨柱２４と鉄骨柱２６とは、所定の方向に連なってかつ当該所定の方向に所定の間隔をあけて配置されており、これらは角鋼管で構成されていると共に、建物上下方向に延在している。また、鉄骨柱２４、２６は、その上端部同士が天井大梁１８で連結されていると共に、その下端部同士が床大梁で連結されている。つまり、鉄骨柱２４と鉄骨柱２６とは、天井大梁１８の延在方向に連なっている。
【００２７】
鉄骨柱２４は、キッチン２０側（屋内側）に面する第１壁面部としての「壁面部２４Ａ」と、当該壁面部２４Ａと直交し、かつ鉄骨柱２６に対向する第２壁面部としての「壁面部２４Ｂ」とを備えている。一方、鉄骨柱２６は、キッチン２０側に面する第１壁面部としての「壁面部２６Ａ」と、当該壁面部２６Ａと直交し、かつ鉄骨柱２４に対向する第２壁面部としての「壁面部２６Ｂ」とを備えている。
【００２８】
一方、ラチス材２８は、鋼製とされており、鉄骨柱２４の壁面部２４Ａの板厚方向から見て、壁面部２４Ｂ、２６Ｂ間をジグザグ状に屈折されつつ建物上下方向に延在する円柱状とされている。そして、ラチス材２８は、当該ラチス柱１６に接合された取付板部３０を介して壁面部２４Ｂ、２６Ｂに接合されており、当該ラチス材２８によって鉄骨柱２４と鉄骨柱２６とが連結された状態となっている。
【００２９】
壁部２２の屋外側の部分は、軽量気泡コンクリート（ＡＬＣ）製の外壁材３２が、複数枚配置されて構成されている。外壁材３２は、屋外側から見て建物上下方向を長手方向とされた矩形の板状とされており、天井大梁１８の延在方向に連なって配置されている。
【００３０】
一方、壁部２２のキッチン２０側の部分は、「耐火材３４」、「内壁材３６」、「補強壁材３８」及びこれらを支持する一対の「スタッド４０」を含んで構成されている。
【００３１】
スタッド４０は、鉄骨柱２４、２６のそれぞれに対して配置されており、以下では、鉄骨柱２４に対して配置されたものを例に挙げて、スタッド４０並びにその周辺部の構成について説明することとする。スタッド４０は、不燃材料（本実施形態では一例として鋼材）で構成されていると共に、建物上下方向に延在する角筒状とされている。このスタッド４０は、鉄骨柱２４と近接した位置、より具体的には、建物上下方向から見て、取付板部３０と隣接する位置に配置されている。そして、スタッド４０は、「ブラケット４２」を介して鉄骨柱２４に取り付けられている。
【００３２】
ブラケット４２は、「第１取付片部４２Ａ」と「第２取付片部４２Ｂ」とを含んで、建物上下方向から見て、Ｌ字状に屈曲された板状とされている。より詳しくは、第１取付片部４２Ａは、板厚方向を鉄骨柱２４の壁面部２４Ｂの板厚方向とされ、かつ当該壁面部２４Ｂに面接触された状態で、図示しない取付部材によって当該壁面部２４Ｂに取り付けられている。
【００３３】
一方、第２取付片部４２Ｂは、第１取付片部４２Ａから当該第１取付片部４２Ａと直交して鉄骨柱２６側に向かって延びている。そして、第２取付片部４２Ｂの先端側には、スタッド４０が、キッチン２０側から面接触された状態で図示しない取付部材によって取り付けられている。
【００３４】
耐火材３４は、一例として、ケイ酸カルシウム板で板状に構成されており、鉄骨柱２４、２６をキッチン２０側から覆うことが可能とされている。この耐火材３４は、ビス４４によってスタッド４０に取り付けられている。
【００３５】
内壁材３６は、一例として、石膏ボードで耐火材３４と同様の大きさとれた板状に構成されており、耐火材３４のキッチン２０側に当該耐火材３４と重ねて配置されている。この内壁材３６は、耐火材３４と共に、ビス４６によってスタッド４０に取り付けられている。なお、内壁材３６は、火山性ガラス質複層板等で構成されていてもよい。
【００３６】
補強壁材３８は、ケイ酸カルシウム板や石膏ボードよりも靭性が高い材質で構成されており、本実施形態では、一例として、補強壁材３８がラワン合板で構成されている。この補強壁材３８は、内壁材３６と同様の大きさとされた板状とされており、内壁材３６のキッチン２０側に当該内壁材３６と重ねて配置されている。そして、補強壁材３８は、耐火材３４及び内壁材３６と共に、ビス４８によってスタッド４０に取り付けられると共に、壁部２２のキッチン２０側の壁面を構成している。なお、壁部２２のキッチン２０側の壁面には、図３に示されるように、図示しない仕上げ材が貼り付けられていると共に、図示しない取付金具やビス等の取付部材によって食器棚５０が取り付けられている。
【００３７】
また、図２に示されるように、スタッド４０は、その上端部同士が、天井大梁１８の延在方向に延びる「ランナー５２」で連結されている。詳しくは、ランナー５２は、その長手方向から見た断面形状が建物下方側に開放されたコ字状とされており、当該ランナー５２には建物下方側からスタッド４０の上端部が嵌合されている。
【００３８】
一方、ランナー５２の建物上方側には、ハンガー５４が配置されており、当該ハンガー５４は、建物内側から見て、スタッド４０の延在方向一方側に開放されたコ字状に屈曲された板状とされている。そして、ハンガー５４の建物下方側の部分を構成する下板部５４Ａは、図示しない取付部材でランナー５２に取り付けられると共に、ハンガー５４の建物上方側の部分を構成する上板部５４Ｂは、全ネジボルト５６及びナット５８によって天井大梁１８のフランジ部１８Ａに取り付けられている。つまり、本実施形態では、耐火材３４、内壁材３６、補強壁材３８及びスタッド４０が天井大梁１８によっても支持されるようになっている。
【００３９】
＜本実施形態の作用及び効果＞
次に、本実施形態の作用並びに効果を説明する。
【００４０】
本実施形態では、図１に示されるように、建物１０の壁部２２における骨格の一部が鉄骨柱２４、２６によって構成されており、当該鉄骨柱２４、２６は、建物上下方向に延在すると共に所定の方向に連なって配置されている。また、鉄骨柱２４、２６に対してスタッド４０が固定されており、当該スタッド４０は、不燃材料で構成されていると共に、建物上下方向に延在している。
【００４１】
このスタッド４０には、屋内側から板状の耐火材３４が取り付けられており、当該耐火材３４によって鉄骨柱２４、２６が屋内側から覆われている。そして、耐火材３４の屋内側には、耐火性を有する材質で構成された板状の内壁材３６が、当該耐火材３４と重ねて配置されると共に、スタッド４０に取り付けられている。このため、本実施形態では、耐火材３４に向かう火や熱に対する耐火性能を確保することができる。
【００４２】
ところで、石膏ボード等の耐火性を有する材質で構成された内壁材３６によって壁部２２における屋内側の壁面が構成されている場合、当該壁面にねじ等を用いて重量物を取り付けることが困難となることが考えられる。
【００４３】
ここで、本実施形態では、補強壁材３８が、内壁材３６の屋内側に当該内壁材３６と重ねて配置されると共に、スタッド４０に取り付けられており、当該補強壁材３８によって壁部２２における屋内側の壁面を構成することができる。そして、補強壁材３８は、内壁材３６よりも靭性が高い材質で構成されており、当該内壁材３６で壁部２２における屋内側の壁面を構成する構成と比し、当該壁面にねじ等を用いて食器棚５０等の重量物を取り付けることが容易となる。したがって、本実施形態では、建物１０の壁部２２の耐火性能を確保しつつ、壁部２２における屋内側の壁面に重量物を取り付けることができる。
【００４４】
また、本実施形態では、鉄骨柱２４、２６が角鋼管で構成されており、当該鉄骨柱２４は、屋内側に面する壁面部２４Ａと、当該壁面部２４Ａと直交する壁面部２４Ｂとを備えている。一方、鉄骨柱２６は、屋内側に面する壁面部２６Ａと、当該壁面部２６Ａと直交する壁面部２６Ｂとを備えている、そして、壁面部２４Ｂ、２６Ｂには、ブラケット４２の第１取付片部４２Ａが取り付けられており、当該第１取付片部４２Ａから当該第１取付片部４２Ａと直交して延びる当該ブラケット４２の第２取付片部４２Ｂには、スタッド４０が取り付けられている。
【００４５】
ところで、鉄骨柱２４、２６の断面形状がＩ型とされている場合、ブラケット４２の第１取付片部４２Ａを鉄骨柱２４、２６のウェブ部に取り付けた状態において、当該鉄骨柱２４、２６のフランジ部の板厚方向から見て、スタッド４０がフランジ部に隠れていない状態とされている必要がある。そして、施工時にこのような状態になる確度を高めるためには、鉄骨柱２４、２６に予めブラケット４２を取り付けた上で、当該ブラケット４２にスタッド４０を取り付けることが好ましい。
【００４６】
一方で、施工性の観点からは、スタッド４０にブラケット４２を取り付けた状態で第１取付片部４２Ａを鉄骨柱２４、２６に取付可能とされていることが好ましい。しかしながら、鉄骨柱２４、２６の断面形状がＩ型とされていると、スタッド４０の第２取付片部４２Ｂに対する取付位置の如何によって、当該スタッド４０が鉄骨柱２４、２６のフランジ部の板厚方向から見て当該フランジ部に隠れてしまうことが考えられる。
【００４７】
この点、本実施形態では、スタッド４０にブラケット４２を予め取り付けた状態で当該ブラケット４２を鉄骨柱２４、２６に取り付けても、壁面部２４Ａ、２６Ａと対向する方向から見て、スタッド４０が鉄骨柱２４、２６に隠れることがない。しかも、壁面部２４Ａ、２６Ａを基準とすることでスタッド４０の位置決めを容易に行うことができ、ひいては、壁部２２における屋内側の壁面の位置決めを容易に行うことができる。さらに、ブラケット４２を平板状に構成して、当該ブラケット４２を壁面部２４Ａ、２６Ａに取り付けるような構成と比し、屋内側の壁面の位置を鉄骨柱２４、２６側に近付けることができるため、室内の空間を広く確保することができる。
【００４８】
また、本実施形態では、補強壁材３８がラワン合板で構成されており、当該補強壁材３８の靭性を確保しつつ、当該補強壁材３８を安価な材料で構成することができる。したがって、本実施形態では、施工性を向上させつつコスト低減を図ることができる。
【００４９】
ところで、ラワン合板は、安価であるものの、補強壁材３８をラワン合板で構成すると、補強壁材３８に同じ形状のパーティクルボードやシナ合板を用いる場合と比し、補強壁材３８の重量が増加することとなる。この点、本実施形態では、ブラケット４２がＬ字状に屈曲された板状とされており、ブラケット４２によって安定した状態で補強壁材３８を支持することができる。
【００５０】
さらに、本実施形態では、スタッド４０が所定の方向、すなわち鉄骨柱２４、２６が連なる方向と同じ方向に複数連なって配置されており、当該スタッド４０の上端部同士が当該所定の方向に延在するランナー５２で連結されている。また、ランナー５２は、鉄骨柱２４、２６の上端部同士を連結する天井大梁１８に対して固定されている。このため、本実施形態では、補強壁材３８に取り付けられた重量物による荷重を鉄骨柱２４、２６及び天井大梁１８で支持することができる。したがって、本実施形態では、建物１０の壁部２２における屋内側の壁面に取り付け可能な重量物の重量の上限を引き上げることができる。
【００５１】
＜第２実施形態＞
以下、図３及び図４を用いて、本発明の第２実施形態に係る建物の壁補強構造について説明する。なお、上述した第１実施形態と同一構成部分については同一番号を付してその説明を省略する。
【００５２】
本実施形態では、キッチン２０と当該キッチン２０と隣接する部屋６０とを仕切る壁部としての「間仕切り壁６２」に本実施形態に係る建物の壁補強構造が適用されている。
【００５３】
具体的には、間仕切り壁６２は、壁部２２と同様にラチス柱１６によって、その骨格の一部が構成されており、上述した第１実施形態と同様に、ラチス柱１６の鉄骨柱２４、２６のそれぞれに対してスタッド４０が固定されている。
【００５４】
そして、スタッド４０の屋内側、より具体的には、キッチン２０側と部屋６０側とのそれぞれには、耐火材３４、内壁材３６及び補強壁材３８が、間仕切り壁６２の厚さ方向中央側からこの順に取り付けられている。なお、ここでいう屋内側とは、間仕切り壁６２の内側を基準として、当該間仕切り壁６２で仕切られた部屋の内側を示している。
【００５５】
また、本実施形態では、鉄骨柱２４における壁面部２４Ｂと反対側の壁面部２４Ｃと、鉄骨柱２６における壁面部２６Ｂと反対側の壁面部２６Ｃとのそれぞれに沿って、ケイ酸カルシウム板で板状に構成された耐火材６４が配置されている。そして、鉄骨柱２４、２６及びスタッド４０が耐火材３４、６４によって囲まれた状態となっている。なお、間仕切り壁６２の構成を理解しやすくするため、図４にはラチス材２８及びブラケット４２を図示していない。
【００５６】
このような構成によれば、建物１０の二階部分から間仕切り壁６２の内側に入り込む火や熱風に対する間仕切り壁６２の耐火性能を確保することができる。また、間仕切り壁６２におけるキッチン２０側の壁面及び部屋６０側の壁面の両方に重量物を取り付けることができる。
【００５７】
＜上記実施形態の補足説明＞
（１）  上述した実施形態では、キッチン２０と屋外側とを仕切る壁部２２に第１実施形態に係る建物の壁補強構造が適用されていると共に、キッチン２０と部屋６０とを仕切る間仕切り壁６２に第２実施形態に係る建物の壁補強構造が適用されていたが、これに限らない。すなわち、キッチン２０以外の部屋と屋外側とを仕切る壁部に第１実施形態に係る建物の壁補強構造が適用されていてもよいし、間仕切り壁６２以外の間仕切り壁に第２実施形態に係る建物の壁補強構造が適用されていてもよい。そして、建物１０の壁部及び間仕切り壁に第１実施形態及び第２実施形態に係る建物の壁補強構造を適宜適用することで、建物１０の各壁部及び各間仕切り壁に対して重量物を配置することが可能となり、その結果、建物１０の設計プランの自由度を向上させることができる。
【００５８】
（２）  また、上述した実施形態では、建物１０の壁部２２及び間仕切り壁６２の骨格の一部がラチス柱１６を含んで構成されていたが、これに限らない。例えば、壁部２２及び間仕切り壁６２の骨格を鉄骨柱２４、２６と同様の構成とされた複数の鉄骨柱のみで構成するような構成としてもよい。また、壁部２２及び間仕切り壁６２の骨格を構成する鉄骨柱の材料としては、ブラケット４２の形状を平板状等に適宜変更することで、角鋼管以外にＩ形鋼やＨ形鋼も採用することが可能である。なお、耐火材３４、内壁材３６及び補強壁材３８は、屋内側から３本以上の鉄骨柱を覆うことが可能な大きさとされていてもよい。
【００５９】
（３）  また、上述した実施形態では、鉄骨柱２４、２６のそれぞれに対してスタッド４０が固定されていたが、これに限らず、ブラケットを鉄骨柱２４、２６間に架け渡し、当該ブラケットに１本のスタッド４０を取り付けるような構成としてもよい。なお、スタッド４０は、鉄骨柱２４、２６に直接取り付けられていてもよい。
【００６０】
（４）  また、上述した実施形態では、スタッド４０が鋼材で構成されていたが、これに限らず、建物１０の壁部や間仕切り壁の構成に応じて、角柱状の木材等で構成されていてもよい。
【００６１】
（５）  また、上述した実施形態では、補強壁材３８がラワン合板で構成されていたが、これに限らず、壁部２２や間仕切り壁６２の配置箇所等に応じて、補強壁材３８をパーティクルボードやシナ合板で構成してもよい。
【００６２】
（６）  加えて、上述した実施形態では、耐火材３４がケイ酸カルシウム板で板状に構成されていたが、これに限らない。例えば、耐火材３４をグラスウール等でシート状に構成すると共に、当該耐火材３４で鉄骨柱２４、２６を覆うような構成としてもよいし、鉄骨柱２４、２６及びスタッド４０に耐火性を有する発泡剤等を吹き付けて耐火材３４として用いてもよい。
【符号の説明】
【００６３】
１０      建物
１８      天井大梁
２２      壁部
２４      鉄骨柱
２４Ａ    壁面部（第１壁面部）
２４Ｂ    壁面部（第２壁面部）
２６      鉄骨柱
２６Ａ    壁面部（第１壁面部）
２６Ｂ    壁面部（第２壁面部）
３４      耐火材
３６      内壁材
３８      補強壁材
４０      スタッド
４２      ブラケット
４２Ａ    第１取付片部
４２Ｂ    第２取付片部
５２      ランナー
６２      間仕切り壁（壁部）
【図１】
2019100008.tif 000003
【図２】
2019100008.tif 000004
【図３】
2019100008.tif 000005
【図４】
2019100008.tif 000006